(57)【特許請求の範囲】
【請求項１】
大引を支持する床束を内部に収容する溝部が上下方向に沿って設けられており、床束を内部に収容した状態で大引の下方の空間内に垂直状態で挿入されるように、合成樹脂によって直方体状に構成され束用断熱材と、
この束用断熱材に隣接した大引の下方の空間内に、上下方向に圧縮された状態で大引に沿って垂直に配置された合成樹脂製の主断熱材と、
を具備することを特徴とする床下断熱構造。
【請求項２】
前記束用断熱材と主断熱材との間に、合成樹脂によって平板状に構成された気密材が設けられている請求項１に記載の床下断熱構造。
【請求項３】
前記主断熱材の上端部が、大引に取り付けられた固定具によって固定されている請求項１に記載の床下断熱構造。
【請求項４】
前記固定具は、主断熱材が大引の下方の空間内に配置された後に主断熱材の上端部に係合状態になるように屈曲される請求項３に記載の床下断熱構造。
【請求項５】
前記主断熱材は、正面および背面に、複数のスリットが上下方向に適当な間隔をあけてそれぞれ水平に設けられており、正面に設けられた各スリットが、背面に設けられた各スリットの間に位置している請求項１に記載の床下断熱構造。
【請求項６】
前記主断熱材の各側部には、垂直方向に沿った切断用ガイド溝がそれぞれ設けられている請求項１に記載の床下断熱構造。
【請求項７】
前記主断熱材の上下方向の各端部には、水平方向に沿った切断用ガイド溝がそれぞれ設けられている請求項１に記載の床下断熱構造。
【請求項８】
前記束用断熱材の上下方向の各端部には、水平方向に沿った複数のカット用溝部が、上下方向に等しい間隔をあけてそれぞれ設けられている請求項１に記載の床下断熱構造。
【請求項９】
大引を支持する床束を内部に収容する溝部が上下方向に沿って設けられており、床束を内部に収容した状態で大引の下方の空間内に垂直状態で配置されるように、合成樹脂によって直方体状に構成されていることを特徴とする断熱材。
【請求項１０】
大引の下方の空間内に、上下方向に圧縮された状態で大引に沿って垂直に配置される断熱材であって、正面および背面に、複数のスリットが上下方向に適当な間隔をあけてそれぞれ水平に設けられており、正面に設けられた各スリットが、背面に設けられた各スリットの間に位置していることを特徴とする断熱材。
【発明の詳細な説明】
【０００１】
【発明の属する技術分野】
本発明は、住宅における床下内に冷気が流入することを防止するための床下断熱構造、および、その床下断熱構造に使用される断熱部材に関し、特に、寒冷地における浴室において、床下内の配管が凍結することを防止するために好適に使用される床下断熱構造および断熱材に関する。
【０００２】
【従来の技術】
寒冷地では、浴室の床下内に冷気が流入すると、浴室の床下に設けられた配管が凍結するおそれがある。このために、浴室の床下内に冷気が流入することを防止する床板断熱構造が、浴室に設けられている。このような床下断熱構造としては、通常、浴室の壁面を支持する大引の下方における基礎との間に、コンクリートブロックが積み重ねられるようになっている。
【０００３】
【発明が解決しようとする課題】
しかしながら、このような床下断熱構造では、重いコンクリートブロックをコンクリート基礎と大引との間に積み重ねなければならず、その作業が容易でないという問題がある。また、大引は、通常、その中程を床束によって支持されているために、大引を支持する床束の周囲にコンクリートブロックを隙間なく配置することも容易ではなく、床下内に冷気が進入することを確実に防止することができないおそれがある。
【０００４】
本発明は、このような問題を解決するものであり、その目的は、床下内に冷気が進入することを確実に防止することができ、しかも、作業性に優れているために容易に施工することができる床下断熱構造、および、その床下断熱構造に好適に使用される断熱材を提供することにある。
【０００５】
【課題を解決するための手段】
本発明の床下断熱構造は、大引を支持する床束を内部に収容する溝部が上下方向に沿って設けられており、床束を内部に収容した状態で大引の下方の空間内に垂直状態で挿入されるように、合成樹脂によって直方体状に構成され束用断熱材と、この束用断熱材に隣接した大引の下方の空間内に、上下方向に圧縮された状態で大引に沿って垂直に配置された合成樹脂製の主断熱材と、を具備することを特徴とする。
【０００６】
前記束用断熱材と主断熱材との間に、合成樹脂によって平板状に構成された気密材が設けられている。
【０００７】
前記主断熱材の上端部が、大引に取り付けられた固定具によって固定されている。
【０００８】
前記固定具は、主断熱材が大引の下方の空間内に配置された後に主断熱材の上端部に係合状態になるように屈曲される。
【０００９】
前記主断熱材は、正面および背面に、複数のスリットが上下方向に適当な間隔をあけてそれぞれ水平に設けられており、正面に設けられた各スリットが、背面に設けられた各スリットの間に位置している。
【００１０】
前記主断熱材の各側部には、垂直方向に沿った切断用ガイド溝がそれぞれ設けられている。
【００１１】
前記主断熱材の上下方向の各端部には、水平方向に沿った切断用ガイド溝がそれぞれ設けられている。
【００１２】
前記束用断熱材の上下方向の各端部には、水平方向に沿った複数のカット用溝部が、上下方向に等しい間隔をあけてそれぞれ設けられている。
【００１３】
本発明の断熱材は、大引を支持する床束を内部に収容する溝部が上下方向に沿って設けられており、床束を内部に収容した状態で大引の下方の空間内に垂直状態で配置されるように、合成樹脂によって直方体状に構成されていることを特徴とする。
【００１４】
さらに、本発明の断熱材は、  大引の下方の空間内に、上下方向に圧縮された状態で大引に沿って垂直に配置される断熱材であって、正面および背面に、複数のスリットが上下方向に適当な間隔をあけてそれぞれ水平に設けられており、正面に設けられた各スリットが、背面に設けられた各スリットの間に位置していることを特徴とする。
【００１５】
【発明の実施の形態】
以下、本発明の実施の形態を図面に基づいて説明する。
【００１６】
図１は、本発明の床下断熱構造の実施の形態の一例を示す断面図である。本発明の断熱構造Ａは、例えば、寒冷地における浴槽ユニット５１が配置される浴室５０の床下内に冷気が進入することを防止するために、浴室５０の壁面５５を支持する大引５３の下方に配置される。
【００１７】
図２は、浴槽ユニット５１が収容される浴室５０の床が設けられていない状態の内部の斜視図である。この浴室５０は、住宅における直交状態になった一対のコンクリート基礎５２上にそれぞれ直交状態で設けられた外壁５４と、コンクリート基礎５２とともに正方形枠を形成するように直交状態に設けられた一対の大引５３上にそれぞれ設けられた一対の壁面５５とによって囲まれている。各大引５３の長手方向の中央部は、鋼製の床束５６によって支持されている。そして、この床束５６が、本発明の断熱構造を構成する束用断熱材１０によって覆われており、束用断熱材１０に隣接して、大引５３とその下方の基礎との間の空間内に、本発明の断熱構造を構成する主断熱材２０が、大引５３に沿って配置されている。
【００１８】
鋼製の床束５６は、図３に示すように、ターンバックルと同様の構成によって、長手方向に伸縮可能に構成されており、その上端部に、上向きコ字状の係合具５６ａが設けられている。係合具５６ａは、大引５３の下部に係合するようになっている。
【００１９】
本発明の床下断熱構造では、図２に示すように、鋼製の床束５６を覆う直方体状に構成された束用断熱材１０と、この束用断熱材１０を挟んで１本の大引５３に沿って配置された一対の主断熱材２０との間に、平板状の気密材３０がそれぞれ設けられており、各主断熱材２０は、一対の固定具４０によって大引５３に固定されている。
【００２０】
図４（ａ）は、一方の側面に気密材３０が貼り付けられた束用断熱材１０の斜視図、図４（ｂ）は、その平面図、図４（ｃ）は、その正面図である。束用断熱材１０は、弾性を有する発泡ポリスチレンによって、鋼製の床束５６を覆い得る直方体状に構成されており、一方の側面に、弾性を有する軟質ウレタンによって平板状に構成された気密材３０が貼り付けられている。束用断熱材１０は、床束５６が内部に嵌入されるように上下方向に沿った溝部１１が全長にわたって形成されている。この溝部１１は、気密材３０が設けられた側面に隣接した側面に全長にわたって開口した断面長方形状になっており、溝部１１の上端部１１ａおよび下端部１１ｂは、幅寸法および奥行き寸法が同心状態で広がっている。溝部１１の相互に対向した内面には、上下方向の各端部を除いて、奥行き方向の中央部が相互に接近するように突出した突出部１１ｃがそれぞれ設けられている。この突出部１１ｃは、溝部１１の内奥部に床束５６が嵌入された際に、床束５６を抜け止めするようになっている。
【００２１】
束用断熱材１０の上端部１２および下端部１３の外周面には、上下方向に等しい間隔をあけて４本の切断用ガイド溝１２ａおよび１３ａが、それぞれ水平に設けられている。各切断用ガイド溝１２ａおよび１３ａは、溝部１１の開口部分を除く全周にわたって連続して設けられている。
【００２２】
図５は、主断熱材２０の斜視図、図６（ａ）は、その主断熱材２０の正面図、図６（ｂ）は、主断熱材２０の側面図、図６（ｃ）は、主断熱材２０の平面図である。主断熱材２０は、例えば、発泡ポリスチレンによって、例えば厚さ５８ｍｍの板状に構成されており、長手方向が大引５３に沿うように直立状態で配置されるようになっている。主断熱材２０の正面および背面には、上下方向に適当な間隔をあけて複数本のスリット２１がそれぞれ水平に設けられている。正面に設けられたスリット２１は、主断熱材２０の上部に４本が等しい間隔をあけて設けられるとともに、主断熱材２０の下部に３本が等しい間隔をあけて設けられている。背面に設けられたスリット２１は、主断熱材２０の上部に、３本が、正面の各スリット２１の間に位置するように等しい間隔をあけて設けられており、また、主断熱材２０の下部には、４本が、正面の各スリット２１を間に挟んだ状態になるように、等しい間隔をあけて設けられている。
【００２３】
このように、主断熱材２０は、表面および背面に、それぞれ水平なスリット２２が、上下方向に適当な間隔をあけて設けられているために、上下方向に圧縮可能になっている。
【００２４】
主断熱材２０の背面には、正面における最上部に設けられたスリット２１の下側内面と同じ高さ位置に、切断用ガイド溝２２が長手方向に沿って水平に設けられている。また、主断熱材２０の正面にも、背面における最下部に設けられたスリット２１の上側内面と同じ高さ位置に、カット用スリット２２が長手方向に沿って水平に設けられている。
【００２５】
さらに、主断熱材２０における長手方向の各端部には、上下方向に沿った切断用ガイド溝２３が、それぞれ全周にわたって設けられている。また、主断熱材２０における長手方向の中央部にも、上下方向に沿った切断用ガイド溝２３が全周にわたって設けられている。
【００２６】
このような主断熱材２０は、図２に示すように、大引５３に対して一対の固定具４０によって固定されるようになっている。図７は、この固定具４０の斜視図である。固定具４０は、鋼板によって構成されており、大引５３の下面に沿うように配置される水平な本体部４１が中央部に設けられており、この本体部４１の一方の側方に、大引５３の下方に配置される主断熱材２０の背面に沿うように、下方に向かって屈曲された下側係合部４２が連続して設けられている。本体部４１の反対側の側方には、大引５３の側面に沿うように、本体部４１の幅方向の各側縁部を除いた中央部に連続して上方に屈曲された上側係合部４３が連続して設けられている。本体部４１には、幅方向の各側縁部に連続して水平に突出する一対の屈曲係合部４４がそれぞれ設けられている。各屈曲係合部４４は、下側係合部４２に主断熱材２０の背面が当接されるように、主断熱材２０が大引５３の下方に配置された際に、下方に直角に屈曲されて、主断熱材２０の表面に沿って係合されるようになっている。
【００２７】
このような構成の床下断熱構造は、次のように構築される。まず、束用断熱材１０が、大引５３を支持する床束５６に取り付けられる。この場合、大引５３と床束５６が支持された基礎との間の空間内に、束用断熱材１０が嵌入し得るように、束用断熱材１０の上端部１２または下端部１３に設けられたいずれかの切断用ガイド溝１２ａまたは１３ａに沿って、束用断熱材１０の上端部１２または下端部１３がカッターによって切断される。そして、束用断熱材１０における溝部１１の開口部に隣接する各側面に気密材３０がそれぞれ貼り付けられる。そして、一対の気密材３０が各側面に貼り付けられると、束用断熱材１０は、図３に示すように、床束５３が溝部１１内に嵌入させつつ、基礎と大引５３との間に挿入される。これにより、床束５６は、束用断熱材１０によって覆われた状態になり、束用断熱材１０は、大引５３と基礎との間に配置される。
【００２８】
このようにして束断熱材１０が床束５３に取り付けられた状態になると、各大引５３の一方の端部が位置するコンクリート基礎５２の側面に、大引５３の端部下方に気密材３０が上下方向に沿って、それぞれ貼り付けられる。
【００２９】
さらに、図８（ａ）に示すように、各大引５３に一対の固定具４０が取り付けられる。各固定具４０は、本体部４１を大引５３の下面に当接させて、上側係合部４３を大引５３の正面側の側面に突き合て、大引５３の側面に突き合てられた上側係合部４３を大引５３の側面にビス止めすることによって、大引５３に取り付けられる。
【００３０】
このような状態になると、主断熱材２０が、図８（ａ）に示すように、大引５３と基礎との間の空間内に挿入される。このとき、主断熱材２０は、束用断熱材１０に貼り付けられた気密材３０と、コンクリート基礎５２の側面に貼り付けられた気密材３０との間に圧接状態で挿入されるように、各端部に設けられた切断用ガイド溝２３のいずれか一方または両方に沿って、カッターによっていずれか一方または両方の側部が切断される。また、主断熱材２０が、大引５３の下方の空間内に、上下方向に圧縮された状態で挿入されるように、上部または下部のいずれかの切断用ガイド溝２２に沿って、カッターによって上部または下部が切断される。
【００３１】
大引５３の下方に主断熱材２０を挿入する場合には、図８（ａ）に示すように、主断熱材２０の下端部を大引５３の下方の基礎上に当接させた傾斜状態として、主断熱材２０の上端面を下方に押圧することにより主断熱材２０が上下方向に圧縮される。このような状態で、主断熱材２０の上部を大引５３の下方に進入するように回動させて、主断熱材２０の背面における上端部を、固定具４０の下側係合部４２に当接させて位置決めする。このようにして、主断熱材２０が、上下方向に圧縮された状態で、大引５３と基礎との間の空間内に配置されると、図８（ｂ）に示すように、各固定具４０のそれぞれの屈曲係合部４４が下方に屈曲されて、主断熱材２０が、大引５３に対して固定される。
【００３２】
このとき、主断熱材２０と束用断熱材１０との間に空間が形成されるような場合には、その空間内に、平板状の気密材３０が１枚挿入される。また、このように、１枚の気密材３０によっては主断熱材２０と束用断熱材１０との間の空間が完全に解消しない場合には、適当な長さに切断されて主断熱材２０が、一対の気密材３０の間に挿入される。
【００３３】
以下、同様にして、主断熱材２０は、大引５３の下方の基礎との間の空間内に挿入され、浴室５０における大引５３の下方が、主断熱材２０、束用断熱材１０、および気密材３０によって、全周にわたって断熱された状態になる。従って、このような状態では、浴室５０の床下内に冷気が進入するおそれがなく、浴室５０の床下にの配管が凍結することが確実に防止される。
【００３４】
なお、浴室５０の大きさが小さい場合には、主断熱材２０は、長手方向中央部に設けられた切断用ガイド溝２３に沿って切断されて使用される。
【００３５】
【発明の効果】
本発明の床下断熱構造は、このように、比較的軽量な束用断熱材および主断熱材によって、床下を確実に断熱することができるために、作業性は著しく向上する。また、施工後において、主断熱材が容易に取り外すことができるために、浴室の下側の配管のメンテナンスが容易に行える。さらに、束用断熱材および主断熱材は、このような床下断熱構造に好適に使用することができる。
【図面の簡単な説明】
【図１】本発明の床下断熱構造の実施の形態の一例を示す浴室の床下の要部の断面図である。
【図２】その浴室の床板が配置されていない状態の内部の斜視図である。
【図３】本発明の断熱構造を構成する束用断熱材の配置状態を説明するための斜視図である。
【図４】（ａ）は、その束用断熱材の一例を示す斜視図、（ｂ）は、その平面図、（ｃ）は、その正面図である。
【図５】本発明の断熱構造に使用される主断熱材の一例を示す斜視図である。
【図６】（ａ）は、その主断熱材の正面図、（ｂ）は、その側面図、（ｃ）は、その底面図である。
【図７】本発明の断熱構造に使用される固定具の一例を示す斜視図である。
【図８】（ａ）および（ｂ）は、それぞれ、主断熱材の取付け方法を説明するための斜視図である。
【符号の説明】
Ａ  床下断熱構造
１０  束用断熱材
１１  溝部
１１ｃ  突出部
１２ａ  切断用ガイド溝
１３ａ  切断用ガイド溝
２０  主断熱材
２１  スリット
２２  切断用ガイド溝
３０  気密材
４０  固定具
４１  本体部
４２  下側係合部
４３  上側係合部
４４  屈曲係合部
５０  浴室
５１  浴槽ユニット
５３  大引
５５  壁面
５６  床束
【図１】
0003544281.tif 000002
【図２】
0003544281.tif 000003
【図３】
0003544281.tif 000004
【図４】
0003544281.tif 000005
【図５】
0003544281.tif 000006
【図６】
0003544281.tif 000007
【図７】
0003544281.tif 000008
【図８】
0003544281.tif 000009